(57)【要約】  複数のリソースブロックを使用する直交周波数分割多元接続（ＯＦＤＭＡ）システムにおけるデータを送受信する装置及び方法を提供する。送信器は、データにハイブリッド自動再送要求（ＨＡＲＱ）機能を遂行するためにサブパケットを生成し、あらかじめ定められた順序に従って、受信器に対するリソースブロック別サブパケットにインターリービングを遂行し、リソースブロック別サブパケットを含む制御メッセージ及びサブパケットの割当情報を端末に送信する。端末は、リソースブロック別に基地局から受信されたサブパケットをデインターリービングし、制御メッセージに基づいて、デインターリービングされたサブパケットを結合する。
2009506705.tif 000002
【特許請求の範囲】
【請求項１】
複数のリソースブロックを使用する直交周波数分割多元接続（ＯＦＤＭＡ）システムにおける送信方法であって、
チャネル符号化されたデータにハイブリッド自動再送要求（ＨＡＲＱ）機能を遂行するためにサブパケットを生成するステップと、
前記サブパケットをリソースブロック別に分配するステップと、
前記リソースブロック別に分配されたサブパケットをインターリービングするステップと、
を含むことを特徴とする送信方法。
【請求項２】
信頼度に従って割り当てられた複数のリソースブロックの順序を決定するステップをさらに含むことを特徴とする請求項１記載の送信方法。
【請求項３】
前記サブパケットの分配情報を含む制御メッセージを生成し、前記生成された制御メッセージを受信器に送信するステップをさらに含むことを特徴とする請求項１記載の送信方法。
【請求項４】
前記順序を決定するステップは、
前記受信器から受信されたチャネル状態情報に基づいてリソースブロックの信号対雑音比（ＳＮＲ）を測定するステップと、
前記ＳＮＲ及び前記サブパケットの変調方式に従って信頼度を決定するステップと、を含むことを特徴とする請求項２記載の送信方法。
【請求項５】
前記制御メッセージは、前記割り当てられたリソースブロックの個数及び前記サブパケットの分配順序を示す情報を含むことを特徴とする請求項３記載の送信方法。
【請求項６】
複数のリソースブロックを使用する直交周波数分割多元接続（ＯＦＤＭＡ）システムにおける送信器であって、
チャネル符号化されたデータにハイブリッド自動再送要求（ＨＡＲＱ）機能を遂行するためにサブパケットを生成するＨＡＲＱ機能部と、
前記サブパケットをリソースブロック別に分配するリソースブロック分配器と、
前記リソースブロック別に分配されたサブパケットをインターリービングする複数のリソースブロック別インターリーバと、
を含むことを特徴とする送信器。
【請求項７】
前記サブパケットの分配情報を含む制御メッセージを生成する制御部と、
前記生成された制御メッセージを受信器に送信する送信部と、をさらに含むことを特徴とする請求項６記載の送信器。
【請求項８】
前記リソースブロック分配器は、
前記受信器から受信されたチャネル状態情報に基づく信頼度に従って、割り当てられたリソースブロックの順序を決定する優先順位決定部と、
前記決定された順序に基づいて、前記サブパケットをリソースブロック別に分配するリソース割当部と、を含むことを特徴とする請求項６記載の送信器。
【請求項９】
前記信頼度は、前記割り当てられたリソースブロックの信号対雑音比（ＳＮＲ）及び前記サブパケットの変調方式に従って決定されることを特徴とする請求項８記載の送信器。
【請求項１０】
前記制御メッセージは、前記割り当てられたリソースブロックの個数及び前記サブパケットの分配順序を示す情報を含むことを特徴とする請求項７記載の送信器。
【請求項１１】
複数のリソースブロックを使用する直交周波数分割多元接続（ＯＦＤＭＡ）システムにおける受信方法であって、
送信器からリソースブロック別に分配されたデータと前記データの分配情報を含む制御メッセージとを受信し、前記リソースブロック別に分配されたデータをデインターリービングするステップと、
前記リソースブロック別にデインターリービングされたデータを前記制御メッセージに基づいて結合し、サブパケットを出力するステップと、
前記サブパケットにハイブリッド自動再送要求（ＨＡＲＱ）機能を遂行するステップと、
前記ＨＡＲＱ機能が完了した前記サブパケットをデコーディングするステップと、
を含むことを特徴とする受信方法。
【請求項１２】
前記デコーディングされたデータにサイクリックリダンダンシーチェック（ＣＲＣ）を遂行するステップをさらに含むことを特徴とする請求項１１記載の受信方法。
【請求項１３】
前記制御メッセージは、前記割り当てられたリソースブロックの個数及び前記サブパケットの分配順序を示す情報を含むことを特徴とする請求項８記載の受信方法。
【請求項１４】
複数のリソースブロックを使用する直交周波数分多元割接続（ＯＦＤＭＡ）システムの受信器であって、
送信器から各リソースに分配されたデータと前記データの分配情報を含む制御メッセージとを受信する受信部と、
前記データをリソースブロック別にデインターリービングする複数のリソースブロックデインターリーバと、
前記リソースブロック別にデインターリービングされたデータを前記制御メッセージに基づいて結合し、サブパケットを出力するリソースブロック結合器と、
前記サブパケットにハイブリッド自動再送要求（ＨＡＲＱ）機能を遂行するＨＡＲＱ機能部と、
前記ＨＡＲＱ機能が完了した前記サブパケットをデコーディングするデコーダと、
を含むことを特徴とする受信器。
【請求項１５】
前記デコーディングされたデータにサイクリックリダンダンシーチェック（ＣＲＣ）を遂行するＣＲＣ検査器をさらに含むことを特徴とする請求項１４記載の受信器。
【請求項１６】
前記リソースブロック結合器は、
前記制御メッセージに基づいて前記リソースブロック別サブパケットに対する順序を決定するリソース割当情報取得部と、
前記リソース割当情報取得部から提供された順序に基づいて、前記リソースブロック別にデインターリービングされたサブパケットを結合する受信信号抽出部と、を含むことを特徴とする請求項１４記載の受信器。
【請求項１７】
前記制御メッセージは、前記割り当てられたリソースブロックの個数及び前記サブパケットの分配順序を示す情報を含むことを特徴とする請求項１４記載の受信器。
【請求項１８】
複数のリソースブロックを使用する直交周波数分割多元接続（ＯＦＤＭＡ）システムにおけるデータを送信する方法であって、
割り当てられたリソースの信頼度に従って、割り当てられたリソースブロックの順序を決定するステップと、
前記受信器に送信されるデータを前記順序に従ってリソースブロックに分配するステップと、
前記データの分配情報を含む制御メッセージを生成するステップと、
前記データ及び前記制御メッセージを前記受信器に送信するステップと、
を含むことを特徴とする方法。
【請求項１９】
前記信頼度は、ｋ番目の帯域の測定された信号対雑音比（ＳＮＲ）βｋの範囲に従って決定されることを特徴とする請求項１８記載の方法。
【請求項２０】
前記信頼度は、ｋ番目の帯域のＳＮＲ βｋがβｋ＜ＴｈＱＰＳＫである場合には、下記の式（１）のように決定され、
【数１】
2009506705.tif 000013
ここで、ＴｈＱＰＳＫは、直交位相変移変調（ＱＰＳＫ）のしきい値を示すことを特徴とする請求項１９記載の方法。
【請求項２１】
前記信頼度は、ｋ番目の帯域のＳＮＲ βｋがＴｈＱＰＳＫ＜βｋ＜Ｔｈ１６ＱＡＭである場合には、下記の式（２）のように決定され、
【数２】
2009506705.tif 000014
ここで、ＴｈＱＰＳＫは、直交位相変移変調（ＱＰＳＫ）のしきい値を示し、Ｔｈ１６ＱＡＭは、１６-アレイ直交振幅変調（１６ＱＡＭ）のしきい値を示すことを特徴とする請求項１９記載の方法。
【請求項２２】
前記信頼度は、ｋ番目の帯域のＳＮＲ βｋがＴｈＱＰＳＫ＜βｋ＜Ｔｈ１６ＱＡＭである場合には、下記の式（３）のように決定され、
【数３】
2009506705.tif 000015
ここで、Ｔｈ１６ＱＡＭは、１６ＱＡＭのしきい値を示し、Ｔｈ１６ＱＡＭは、６４-アレイ直交振幅変調（６４ＱＡＭ）のしきい値を示すことを特徴とする請求項１９記載の方法。
【請求項２３】
ｋ番目の帯域のＳＮＲ βｋがＴｈ６４ＱＡＭ＜βｋである場合には、下記の式（４）のように決定され、
【数４】
2009506705.tif 000016
ここで、Ｔｈ６４ＱＡＭは、６４ＱＡＭのしきい値を示すことを特徴とする請求項１９記載の方法。
【請求項２４】
複数のリソースブロックを使用する直交周波数分割多元接続（ＯＦＤＭＡ）システムにおける送信器であって、
割り当てられたリソースの信頼度に従って、割り当てられたリソースブロックの順序を決定する優先順位決定部と、
前記順序に従って、受信器に送信されるデータをリソースブロックに分配して、前記データの分配情報を含む制御メッセージを生成するリソース割当部と、
前記データ及び前記制御メッセージを送信する送信部と、
を含むことを特徴とする送信器。
【請求項２５】
複数のリソースブロックを使用する直交周波数分割多元接続（ＯＦＤＭＡ）システムにおける受信器であって、
送信器から信号を受信し、前記受信された信号を基底帯域信号に変換する受信部と、
前記変換された信号のうちで、データの分配情報を含む制御メッセージを抽出し、割り当てられたリソースの順序情報を取得するリソース割当情報取得部と、
前記割り当てられたリソースの順序情報に従って、前記割り当てられたリソースから受信信号を順次に抽出する受信信号抽出部と、
を含むことを特徴とする受信器。
【請求項２６】
複数のリソースブロックにチャネル符号化されたデータを割り当てる直交周波数分割多元接続（ＯＦＤＭＡ）システムでデータを送受信する方法を遂行するコンピュータ可読コードを格納するコンピュータ可読記録媒体であって、
基地局で前記データにハイブリッド自動再送要求（ＨＡＲＱ）機能を遂行するためにサブパケットを生成するステップと、
優先順位に従って、特定の端末に対する各リソースブロックに対して生成されたサブパケットにインターリービングを遂行するステップと、
前記各リソースブロックに対するサブパケット及びサブパケットの割当情報を含む付加メッセージを端末に送信するステップと、
前記端末で前記各リソースブロックに対する前記基地局から受信されたサブパケットをデインターリービングするステップと、
前記付加メッセージに基づいて、前記デインターリービングされたサブパケットを結合するステップと、
を含む方法を実行するコンピュータ可読記録媒体。
【発明の詳細な説明】
【技術分野】
【０００１】
本発明は、移動通信システムにおけるデータを送受信する装置及び方法に関し、特に、直交周波数分割多元接続（ＯＦＤＭＡ）システムにおけるデータを送受信する装置及び方法に関する。
【背景技術】
【０００２】
一般的に、移動通信システムは、ユーザーの位置に関係なく、通信サービスを提供するために開発された。このような移動通信システムは、各システムごとに制限されたリソースを用いてユーザーを識別して通信を遂行する。このように制限されたリソースをどのように使用するかに従って、様々なアクセス方式で区分されることができる。例えば、特定のコードリソースを用いてユーザーを識別する方式を符号分割多元接続（Code Division Multiple Access；以下、“ＣＤＭＡ”と称する。）方式と呼び、時間リソースを用いてユーザーを識別する方式を時間分割多元接続（Time Division Multiple Access； 以下、“ＴＤＭＡ”と称する。）と呼び、周波数リソースを用いてユーザーを識別する方式を周波数分割多元接続（Frequency Division Multiple Access；以下、“ＦＤＭＡ”と称する。）と呼ぶ。
【０００３】
上記したように、これら方法の各々は、様々なタイプに細分されることができ、２つ以上の方法が結合されて使用されることもある。例えば、特定の方式でユーザーごとにユニークな直交周波数リソースを割り当てるＦＤＭＡ基盤の通信方法をＯＦＤＭＡ方式と呼ぶ。したがって、ＯＦＤＭＡ方式は、ＦＤＭＡ方式のうちの１つである。
【０００４】
ＯＦＤＭＡ方式は、マルチキャリア（multi-carrier）を使用してデータを送信する方式であり、直列に入力されるシンボルストリームを並列シンボルストリームに変換して、これらの各々を相互直交性を有する複数のサブキャリア（sub-carrier）、すなわち、複数のサブキャリアチャネル（sub-carrier channel）で変調して送信するマルチキャリア変調（Multi-Carrier Modulation；以下、“ＭＣＭ”と称する。）方式の一種である。このようなＯＦＤＭＡ方式を用いる通信システムをＯＦＤＭＡシステムと称する。
【０００５】
現在のＯＦＤＭＡシステムにおけるデータを送受信する方法について説明する。図１は、ＯＦＤＭＡシステムにおけるリソース割当分布の一例を示すグラフである。図１において、横軸は、時間軸を示し、縦軸は、周波数軸を示す。
【０００６】
図１を参照すると、参照符号１０１は、時間軸でリソースを再び割り当てる単位を示す。参照符号１０２、１０３、及び１０４は、上記システムの全周波数帯域をＮ個の帯域で割った場合に、１番目の帯域、（Ｎ−１）番目の帯域、及びＮ番目の帯域の各々を示す。ここで、周波数帯域の各々をサブ帯域とも呼ぶ。下記の説明において、上記周波数帯域及び上記サブ帯域は、同一の意味で使用される。しかしながら、物理的に、１つのサブ帯域は、連続されたサブキャリアで構成されることもあり、相互離隔したサブキャリアで構成されることもある。ＯＦＤＭＡシステムは、時間及び周波数リソースを区分することにより、複数のユーザーデータを送信する方法を取る。下記の説明では、図１に示したような時間及び周波数領域での一つのブロックをリソースブロック（Resource Block）と称する。
【０００７】
一方、図１の参照符号１０５及び１０６で表示されるブロックからみて、幾つかのリソースブロックが１人のユーザーに同時に割り当てられることもあることが分かる。例えば、リソースブロック１０５、１０６、及び１０７が移動端末（Mobile Station；ＭＳ）＃２に割り当てられる。かかる割当方法は、チャネル状況のような様々な外部要因などを考慮することにより決定される。
【０００８】
図２は、ＯＦＤＭＡシステムにおけるユーザーデータを送信する送信器を示す図である。図２を参照すると、サイクリックリダンダンシーチェック（Cyclic Redundancy Check；以下、“ＣＲＣ”と称する。）付加器２０１は、送信ユーザーデータにＣＲＣビットを付加し、ＣＲＣが付加されたユーザーデータをターボコーダ（Turbo coder）２０３に伝達する。ターボコーダ２０３は、特定の方法を用いて上記ユーザーデータを符号化し、上記符号化されたビット（Coded bits）をハイブリッド自動再送要求（Hybrid Automatic Repeat reQuest；以下、“ＨＡＲＱ”と称する。）機能部２０５に伝達する。上記符号化されたビットを受信したＨＡＲＱ機能部２０５は、物理レイヤー（Ｌａｙｅｒ １）でのＨＡＲＱ機能を遂行する。すなわち、ＨＡＲＱ機能部２０５は、ターボコーダ２０３から出力された符号化されたビットのうちで、現在の送信期間で送信しようとする符号化されたビットを選択する。上記現在の送信期間で送信された符号化されたビットは、通常、サブパケット（Sub-packet）と呼ばれる。上記サブパケットは、実際のデータであるシステマテックビット（Systematic bits）と付加情報であるパリティビット（Parity bits）とから構成される。
【０００９】
ＨＡＲＱ機能部２０５で生成されたサブパケットは、サブパケットインターリーバ（Sub-packet Interleaver）２０７に入力されて、インターリービングのために、特定の規則に従って上記システマテックビット及び上記パリティビットが混合される（すなわち、並べ換えられる）。その後、サブパケットインターリーバ２０７は、インターリービングされた出力信号をリソースブロック分配器２０９に送信される。
【００１０】
リソースブロック分配器２０９は、上記インターリービングされた符号化ビット（Interleaved coded bits）を該当ユーザーに割り当てられた複数のリソースブロックに分配する機能を遂行する。例えば、上記インターリービングされた符号化ビットの数が４００個であり、上記ユーザーに割り当てられたリソースブロックの数が４個であり、リソースブロック別に乗せられる符号化ビットの数が１００個である場合には、リソースブロック分配器２０９は、上記４００個のインターリービングされた符号化ビットを１００個ずつ各リソースブロックに分配する機能を遂行する。
【００１１】
変調器２１０は、Ｎ個の変調器２１０−１〜２１０−Ｎで構成される。各変調器２１０−１〜２１０−Ｎは、リソースブロック分配器２０９から分けられてインターリービングされた符号化ビットを受信して変調過程（例えば、ＱＰＳＫ、８ＰＳＫ、１６ＱＡＭなど）を遂行する。上記変調されたビットは、各リソースブロック２２０に割り当てられて移動端末（ＭＳ）に送信する。
【００１２】
ＯＦＤＭＡシステムにおいて、上述したように、複数のリソースブロックは、周波数領域で相互に異なる周波数帯域を介して送信され、一般的な無線チャネル環境は、各周波数帯域別に異なる。言い換えれば、各リソースブロックの信号対雑音比（Signal to Noise Ratio；ＳＮＲ）は、相互に異なる。このような環境において、複数のリソースブロックが１人のユーザーに割り当てられる場合には、上記システマテックビット及び上記パリティビットがまず混合された後に、各リソースブロックに割り当てられる。すなわち、上記システマテックビット及び上記パリティビットが相互に異なるＳＮＲを有する複数のリソースブロックに混合されて送信され、これにより、上記パリティビットがさらに高いＳＮＲを有するリソースブロックに混合されることもあり、上記システマテックビットがさらに低いＳＮＲを有するリソースブロックに混合されることもある、システム性能を低下させる問題点を引き起こす。
【００１３】
したがって、周波数分割多元接続システムにおけるデータ送信及び受信信頼度を増加させる向上した装置及び方法が必要とされた。
【発明の開示】
【発明が解決しようとする課題】
【００１４】
上述のような背景に鑑みてなされたものであり、本発明の目的は、複数のリソースブロックを使用するＯＦＤＭＡシステムにおけるシステムの送信効率を増加させるデータ送受信装置及び方法を提供することにある。
【００１５】
本発明の他の目的は、複数のリソースブロックを使用するＯＦＤＭＡシステムにおいて、リソースブロック別にデータを割り当てるデータ送受信装置及び方法を提供することにある。
【００１６】
本発明のさらなる目的は、複数のリソースブロックを使用するＯＦＤＭＡシステムにおいて、さらによいチャネル環境を有するシステマテックビットを送信するデータ送受信装置及び方法を提供することにある。
【００１７】
本発明のさらにまた他の目的は、複数のリソースブロックを使用するＯＦＤＭＡシステムにおいて、全般的なチャネル状況を考慮してリソースを割り当てるデータ送受信装置及び方法を提供することにある。
【課題を解決するための手段】
【００１８】
上記のような目的を達成するために、本発明の一の側面によれば、複数のリソースブロックを使用する直交周波数分割多元接続（ＯＦＤＭＡ）システムにおける送信方法は、チャネル符号化されたデータにハイブリッド自動再送要求（ＨＡＲＱ）機能を遂行するためにサブパケットを生成するステップと、上記サブパケットをリソースブロック別に分配するステップと、上記リソースブロック別に分配されたサブパケットをインターリービングするステップと、上記インターリービングされたサブパケットを受信器に送信するステップと、信頼度に従って割り当てられた複数のリソースブロックの順序を決定するステップと、を含むことを特徴とする。
【００１９】
本実施形態において、上記順序を決定するステップは、上記受信器から受信されたチャネル状態情報に基づいてリソースブロックの信号対雑音比（ＳＮＲ）を測定するステップと、上記ＳＮＲ及び上記サブパケットの変調方式に従って信頼度を決定するステップと、を含む。
【００２０】
他の実施形態において、上記制御メッセージは、上記割り当てられたリソースブロックの個数及び上記サブパケットの分配順序を示す情報を含む。
【００２１】
本発明の他の側面によれば、複数のリソースブロックを使用する直交周波数分割多元接続（ＯＦＤＭＡ）システムにおける送信器は、チャネル符号化されたデータにハイブリッド自動再送要求（ＨＡＲＱ）機能を遂行するためにサブパケットを生成するＨＡＲＱ機能部と、上記サブパケットをリソースブロック別に分配するリソースブロック分配器と、上記リソースブロック別に分配されたサブパケットをインターリービングする複数のリソースブロック別インターリーバと、上記サブパケットの分配情報を含む制御メッセージを生成する制御部と、上記生成された制御メッセージを受信器に送信する送信部と、を含むことを特徴とする。
【００２２】
本実施形態において、上記リソースブロック分配器は、上記受信器から受信されたチャネル状態情報に基づく信頼度に従って、割り当てられたリソースブロックの順序を決定する優先順位決定部と、上記決定された順序に基づいて、上記サブパケットをリソースブロック別に分配するリソース割当部と、を含む。
【００２３】
他の実施形態において、上記信頼度は、上記割り当てられたリソースブロックの信号対雑音比（ＳＮＲ）及び上記サブパケットの変調方式に従って決定される。
【００２４】
本発明のさらに他の側面によれば、複数のリソースブロックを使用する直交周波数分割多元接続（ＯＦＤＭＡ）システムにおける受信方法は、送信器からリソースブロック別に分配されたデータと上記データの分配情報を含む制御メッセージとを受信し、上記リソースブロック別に分配されたデータをデインターリービングするステップと、上記リソースブロック別にデインターリービングされたデータを上記制御メッセージに基づいて結合し、サブパケットを出力するステップと、上記サブパケットにハイブリッド自動再送要求（ＨＡＲＱ）機能を遂行するステップと、上記ＨＡＲＱ機能が完了した上記サブパケットをデコーディングするステップと、を含むことを特徴とする。
【００２５】
本発明のさらなる他の側面によれば、複数のリソースブロックを使用する直交周波数分多元割接続（ＯＦＤＭＡ）システムの受信器は、送信器から各リソースに分配されたデータと上記データの分配情報を含む制御メッセージとを受信する受信部と、上記データをリソースブロック別にデインターリービングする複数のリソースブロックデインターリーバと、上記リソースブロック別にデインターリービングされたデータを上記制御メッセージに基づいて結合し、サブパケットを出力するリソースブロック結合器と、上記サブパケットにハイブリッド自動再送要求（ＨＡＲＱ）機能を遂行するＨＡＲＱ機能部と、上記ＨＡＲＱ機能が完了した上記サブパケットをデコーディングするデコーダと、を含むことを特徴とする。
【００２６】
本実施形態において、上記リソースブロック結合器は、上記制御メッセージに基づいて上記リソースブロック別サブパケットに対する順序を決定するリソース割当情報取得部と、上記リソース割当情報取得部から提供された順序に基づいて、上記リソースブロック別にデインターリービングされたサブパケットを結合する受信信号抽出部と、を含む。
【００２７】
本発明のさらにまた他の側面によれば、複数のリソースブロックを使用する直交周波数分割多元接続（ＯＦＤＭＡ）システムにおけるデータを送信する方法は、割り当てられたリソースの信頼度に従って、割り当てられたリソースブロックの順序を決定するステップと、上記受信器に送信されるデータを上記順序に従ってリソースブロックに分配するステップと、上記データの分配情報を含む制御メッセージを生成するステップと、上記データ及び上記制御メッセージを上記受信器に送信するステップと、を含むことを特徴とする。
【００２８】
本発明のさらにまた他の側面によれば、複数のリソースブロックを使用する直交周波数分割多元接続（ＯＦＤＭＡ）システムにおける送信器は、割り当てられたリソースの信頼度に従って、割り当てられたリソースブロックの順序を決定する優先順位決定部と、上記順序に従って、受信器に送信されるデータをリソースブロックに分配して、上記データの分配情報を含む制御メッセージを生成するリソース割当部と、上記データ及び上記制御メッセージを送信する送信部と、を含むことを特徴とする。
【００２９】
本発明のさらなる他の側面によれば、複数のリソースブロックを使用する直交周波数分割多元接続（ＯＦＤＭＡ）システムにおける受信器は、送信器から信号を受信し、上記受信された信号を基底帯域信号に変換する受信部と、上記変換された信号のうちで、データの分配情報を含む制御メッセージを抽出し、割り当てられたリソースの順序情報を取得するリソース割当情報取得部と、上記割り当てられたリソースの順序情報に従って、上記割り当てられたリソースから受信信号を順次に抽出する受信信号抽出部と、を含むことを特徴とする。
【発明の効果】
【００３０】
本発明による複数のリソースブロックを使用するＯＦＤＭＡシステムは、リソースブロック別にサブパケットを割り当て、割り当てられたサブパケットのインターリービングを遂行することにより、システマテックビットをさらによいリソースブロックに割り当てる。また、周波数領域スケジューリングを遂行する際に、割り当てられた周波数-時間帯域が複数存在する場合には、各リソースの信頼度に従って送信データの位置を異ならせることによりパケットエラーを減少させ、これにより、受信性能を向上させることができる。その結果、データ送受信の信頼度を高めることができ、したがって、全システム容量の改善に寄与することができる。
【発明を実施するための最良の形態】
【００３１】
本発明の詳細な構成要素は、本発明の実施形態の包括的な理解を助けるために提供されたものである。したがって、本発明の範囲及び精神を逸脱することなく様々な変形が可能であるということは、当該技術分野における通常の知識を有する者には明らかである。また、明瞭性と簡潔性の観点から、本発明に関連した公知の機能や構成に関する具体的な説明を省略するものとする。
【００３２】
本発明の実施形態は、直交周波数分割多元接続（Orthogonal Frequency Division Multiple Access；以下、“ＯＦＤＭＡ”と称する。）システムにおいて、符号化されたビットのうちでシステマテックビットをさらによいチャネル環境で送信するために、全般的なチャネル状況に基づく信頼度に従って、特定のユーザーに割り当てられたリソースブロックのリソース割当優先順位を決定し、上記優先順位に従ってリソースブロック別にシステマテックビット及びパリティビットを割り当てる方法及びそれに従う送受信器を提案する。
【００３３】
まず、本発明の実施形態による送受信器について説明した後に、それに従うデータのリソースを割り当てる方法について説明する。
【００３４】
図３は、本発明の実施形態によるＯＦＤＭＡシステムにおける基地局（ＢＳ）３００を示すブロック図である。図３を参照すると、サイクリックリダンダンシーチェック（Cyclic Redundancy Check；以下、“ＣＲＣ”と称する。）付加器（Adder）３０３は、ユーザーデータ３０１を受信してエラー検査のためのＣＲＣビットを付加し、上記ＣＲＣが付加されたユーザーデータをターボコーダ（Turbo Coder）３０５に伝達する。ターボコーダ３０５は、上記ＣＲＣが付加されたユーザーデータ３０１を符号化する。上記符号化されたデータは、上記ユーザーデータであるシステマテックビットと付加情報であるパリティビットとから構成される。ここで、上記ターボ符号化過程は、本発明の要旨とは関連しないので、明瞭性及び簡潔性のために省略する。
【００３５】
ハイブリッド自動再送要求（Hybrid Automatic Repeat reQuest：以下、“ＨＡＲＱ”と称する。）機能部３０７は、ターボコーダ３０５から符号化されたデータを受信し、物理レイヤー（Ｌａｙｅｒ １またはＬ１）でのＨＡＲＱ機能動作を遂行する。このために、ＨＡＲＱ機能部３０７は、上記受信された符号化されたビットのうちで、与えられた送信期間の間に送信しようとする符号化されたビットを選択して、サブパケットを構成する。ここで、上記送信期間の間に送信される符号化されたビットをサブパケットと呼ぶ。
【００３６】
リソースブロック分配器３０９は、ＨＡＲＱ機能部３０７で生成されたサブパケットを受信し、該当するユーザーに割り当てられた複数個のリソースブロック別に予め定められた優先順位に従って、上記受信されたサブパケットを分配する。ここで、上記優先順位は、チャネル状況または変調方式などを考慮した信頼度を用いて決定される。上記優先順位を決定する方法は、下記で詳細に説明するので、ここでは省略する。
【００３７】
まず、上記生成されたサブパケットをリソースブロック別に割り当てる方法について説明する。ＨＡＲＱ機能部３０７から出力されたサブパケットのビット数が４００個であり、上記ユーザーに割り当てられたリソースブロックの数が４個であり、リソースブロック別に乗せられる符号化ビットの数が１００個である場合には、リソースブロック分配器３０９は、予め定められた優先順位に従って、上記４００個の符号化ビットを１００個ずつ各リソースブロックに分配する機能を遂行する。上記分配された複数の符号化ビットは、複数のビットが特定の規則に従ってインターリービングされる複数のリソースブロック別インターリーバ３１０に入力される。すなわち、各リソースブロック別インターリービングが遂行される。
【００３８】
ここで、各リソースブロック内でインターリービングを遂行する理由は、１つのリソースブロック内でもチャネル状況が変化する可能性があるが、送信器は、通常、上記変化を認識できないために、上記リソースブロック内のバースト（burst）エラーに対して受信器での復号（Decoding）効率を増加させるためである。
【００３９】
リソースブロック別にサブパケットを割り当てる一例を図４を参照して説明する。参照符号４０１及び４０２は、ターボコーダ３０５の出力のうちでシステマテックビット及びパリティビットをそれぞれ示す。上記システマテックビット及びパリティビットは、参照符号４０３で示されるように、それぞれインターリービング過程を経る。すなわち、インターリービング過程４０３において、特定の方法に従って、上記システマテックビット同士が混合され（すなわち、並び換えられ）、特定の方法に従って、上記パリティビット同士が混合される。インターリービング過程４０３は、省略可能である。インターリービング過程４０３を遂行した後に、上記システマテックビット及び上記パリティビットは、循環バッファ４０４に入力される。このような過程において、上記システマテックビット及び上記パリティビットは、入力開始点（Input Start Point）４０５から順次に入力される。ここで、循環バッファ４０４は、現在の送信期間の間に送信することができる符号化されたビットの数に従ってサブパケットを構成する。例えば、現在の送信期間で送信されることができる符号化されたビットの数が５００個である場合には、循環バッファ４０４は、入力開始点４０５から時計方向に５００ビットを順次に切断することにより、現在のサブパケットを構成する。
【００４０】
ここで、従来技術のように、サブパケットの単位でインターリービングを遂行する代わりに、本発明で提案されたように、リソースブロック別にインターリービングを遂行する理由は、ターボコーダの特性を考慮した性能改善を保証するためである。すなわち、本発明の実施形態によるリソースブロック別インターリービングを遂行する場合には、ＨＡＲＱ機能部３０７の出力のうちで、上記システマテックビット及び上記パリティビットは、相互に混合されることなく、リソースブロック別に割り当てられることができる。したがって、上記システマテックビットを含む部分をさらによいチャネル環境を有するリソースブロックに割り当てることができる。すなわち、上記システマテックビットは、相対的にさらによいチャネルを介して送信されることができる。
【００４１】
図３の変調器３２０は、リソースブロックインターリーバ３１０でインターリービングされた符号化ビットを受信し、上記受信された符号化ビットに対する特定の変調過程を遂行する。上記変調されたビットは、各リソースブロック３３０に割り当てられた後に該当する受信器に送信される。
【００４２】
本発明の実施形態では、変調器３２０の位置については大きく関係しない。すなわち、本発明で提案する送信器のブロック図において、変調器３２０はリソースブロックインターリーバ３１０の後段に位置するが、ターボコーダ３０５の後段に位置してもよい。
【００４３】
リソースブロック分配器３０９が優先順位に従ってリソースブロックを割り当てる方法について説明する。
【００４４】
本発明の実施形態で提案するリソースブロック割当方法は、通信システムに従って優先順位を計算する。１番目のシステムは、サブ帯域でリソースブロックを割り当てるＦＤＭＡシステムに該当することができ、２番目のシステムは、図１に示すように、周波数帯域及びダイバーシティリソースに従ってリソースブロックを同時に割り当てるＯＦＤＭＡシステムに該当することができる。
【００４５】
１番目のシステムにおいて、送信器は、チャネル状態情報を受信した後に、スケジューリングアルゴリズムに従って特定のサブ帯域を特定の移動端末（mobile station；ＭＳ）に割り当てる。ここで、上記チャネル状態情報は、ＭＳから受信されたフィードバック情報であり、チャネル品質情報（Channel Quality Indicator；ＣＱＩ）であってもよい。
【００４６】
特定のＭＳに割り当てられたサブ帯域の個数が複数個であり、送信されなければならない符号化されたビットの個数が単一サブ帯域だけで不足する場合には、上記符号化されたビットは、複数個のサブ帯域に分配されて送信される。上記割り当てられたサブ帯域の個数は、Ｋと定義され、ｋ番目のサブ帯域の信頼度は、γｋ（ｋ＝１...Ｋ）と定義される。
【００４７】
信頼度が高いほどγｋ値が大きい。例えば、γｋは、ｋ番目のサブ帯域の信号対雑音比（Signal to Noise Ratio；ＳＮＲ）として見なされることができ、γｋ値は、そのサイズに従って整列されることができる。整列の後、もっとも信頼度が高い帯域の方から順番に、符号化されたビットの先頭ビットから順に送信することができる。例えば、ａ番目、ｂ番目、ｃ番目のサブ帯域の３つのサブ帯域の割当てを受け、それぞれの信頼度をγａ、γｂ、及びγｃと定義する。これらがγｂ＞γａ＞γｃのような関係を有する場合には、優先順位がもっとも高いビットは、ｂ番目の帯域から乗せられる。符号化された全ビットは、３つの部分に分けられ、３つの部分は、ｂ番目、ａ番目、及びｃ番目の帯域にそれぞれ乗せられる。
【００４８】
ＯＦＤＭＡシステムにおいて、サブ帯域及びダイバーシティリソースが同時に割り当てられる。このように、異なる種類のリソースが使用される場合にも、信頼度が高いリソースを通じて優先順位が高い情報を送信する方法が使用されることができる。この場合に、送信器は、どんなリソースを通じて優先順位が高い情報が送信され、どんなリソースを通じて優先順位が低い情報が送信されるかを受信器に提供しなければならない。ここで、上記優先順位が高い情報は、システマテックビットであり得ると共に、上記優先順位が低い情報は、パリティビットであり得る。
【００４９】
上述した説明において、上記信頼度は、ある状況に従って幾つかの方法で理解されることができる。
【００５０】
１番目の方法において、割り当てられた複数の帯域のすべてに同一の変調方式を適用する。この場合には、単純に、ＳＮＲが高い帯域は、高い信頼度を有する。したがって、この場合には、ＳＮＲは、帯域の信頼度を示す基準として使用されることができる。
【００５１】
２番目の方法において、各帯域に使用される変調方式が相互に異なる。この場合には、ＳＮＲは、単純に、信頼度の基準として使用されることができない。これは、ＳＮＲが高くても変調順序（modulation order）が高い場合には、ＳＮＲが低くても変調順序が低い場合より、信頼度が低下することがあり得るためである。一般的に、上記変調順序は、ＳＮＲ値をしきい値（threshold）と比較することにより決定される。一般的に、ｋ番目の帯域の測定されたＳＮＲ値は、βｋで示され、ＢＰＳＫ、ＱＰＳＫ、１６ＱＡＭ、及び６４ＱＡＭのしきい値は、それぞれＴｈＢＰＳＫ、ＴｈＱＰＳＫ、Ｔｈ１６ＱＡＭ、及びＴｈ６４ＱＡＭで示される。ここで、上記しきい値は、変調方式を決定するのに使用されるしきい値を意味する。
【００５２】
上記変調方式と上記しきい値との関係について説明する。βｋ＜ＴｈＱＰＳＫである場合には、ＢＰＳＫ変調が使用され、ＴｈＱＰＳＫ＜βｋ＜Ｔｈ１６ＱＡＭである場合には、ＱＰＳＫ変調が使用され、Ｔｈ６４ＱＡＭ＜βｋである場合には、６４ＱＡＭ変調が使用される。この場合には、上記信頼度は、下記の式（１）乃至下記の式（４）を用いて、βｋの範囲に従って決定されることができる。
【００５３】
βｋ＜ＴｈＱＰＳＫである場合には、上記信頼度は、下記の式（１）のように決定されることができる。
【００５４】
【数１】
2009506705.tif 000003
【００５５】
ＴｈＱＰＳＫ＜βｋ＜Ｔｈ１６ＱＡＭである場合には、上記信頼度は、下記の式（２）のように決定されることができる。
【００５６】
【数２】
2009506705.tif 000004
【００５７】
Ｔｈ１６ＱＡＭ＜βｋ＜Ｔｈ１６ＱＡＭである場合には、上記信頼度は、下記の式（３）のように決定されることができる。
【００５８】
【数３】
2009506705.tif 000005
【００５９】
Ｔｈ１６ＱＡＭ＜βｋである場合には、上記信頼度は、下記の式（４）のように決定されることができる。
【００６０】
【数４】
2009506705.tif 000006
【００６１】
上記変調方式と上記しきい値との関係は、一般的な方法で次のように説明される。すなわち、変調方式に従って信頼度を決定する関数があり、このような関数は、測定されたＳＮＲ値と信頼度との間のマッピング（mapping）を決定する。
【００６２】
ＢＰＳＫ変調方式が使用される場合には、信頼度を示す関数γｋは、下記の式（５）のように示されることができる。
【００６３】
【数５】
2009506705.tif 000007
【００６４】
ＱＰＳＫ変調方式が使用される場合には、信頼度を示す関数γｋは、下記の式（６）のように示されることができる。
【００６５】
【数６】
2009506705.tif 000008
【００６６】
１６ＱＡＭ変調方式が使用される場合には、信頼度を示す関数γｋは、下記の式（７）のように示されることができる。
【００６７】
【数７】
2009506705.tif 000009
【００６８】
６４ＱＡＭ変調方式が使用される場合には、信頼度を示す関数γｋは、下記の式（８）のように示されることができる。
【００６９】
【数８】
2009506705.tif 000010
【００７０】
提示された方法の他にも、他の方法が存在可能である。上記信頼度が他の方法で定義されても、本発明の目的及び適用が変わることはない。
【００７１】
一方、受信器が複数の周波数-時間リソースの割当てを受ける場合には、元来の順序に上記符号化されたビットをバッファリングするために、どんなリソースにユーザーデータ又は付加情報が存在するか、そして、どんな順序に符号化されたビットが送信されるかを示す情報を有しなければならない。したがって、基地局は、このような情報を該当するＭＳに通知する必要がある。
【００７２】
例えば、基地局は、複数のリソースを割り当てる際に、上記リソースの順序を用いて優先順位が高いビットがどんな順序に送信されるかを示す情報を提供することができる。３つのサブ帯域Ａ、Ｂ、及びＣが割り当てられる場合には、下記の＜表１＞に示すフィールドのような情報は、特定の制御チャネルを介して送信される。すなわち、下記の＜表１＞は、１種類のリソースが割り当てられる場合の制御メッセージの例を示す。
【００７３】
下記の＜表１＞を参照すると、ＭＡＣ ＩＤは、ＭＳのＩＤを示し、ＮＵＭ_ＯＦ_ＲＥＳＯＵＲＣＥ_ＡＳＳＩＧＮＥＤは、割り当てられたリソースの個数を示し、連続的にくるＮＵＭ_ＯＦ_ＲＥＳＯＵＲＣＥ_ＡＳＳＩＧＮＥＤ＊Ｎビットの情報は、ＮビットずつＮＵＭ_ＯＦ_ＲＥＳＯＵＲＣＥ_ＡＳＳＩＧＮＥＤ個の割り当てられたリソースを示す。この場合には、優先順位が高い情報は、割り当てられた順序Ｂ、Ｃ、及びＡに従って、サブ帯域Ｂから送信される。
【００７４】
【表１】
2009506705.tif 000011
【００７５】
１種類のリソースが割り当てられる場合とは異なり、３つのリソース割当メッセージを使用して上記情報を提供することもできる。この場合にも、優先順位に従って、ユーザーデータ及びパリティビットの位置を決定することができる。
【００７６】
ダイバーシティリソース及びサブ帯域リソースが同時に割り当てられる場合には、これらは、シグナリングを最適化するために相互に異なるシグナリング方法を通してＭＳに送信されることができる。この場合には、優先順位が高いビットが送信されるリソースを示すために、１ビットの指示子（one bit indicator）を定義する必要がある。下記の＜表２＞は、ダイバーシティリソース及びサブ帯域リソースが同時に割り当てられる場合の制御メッセージの構成例を示す。
【００７７】
下記の＜表２＞を参照すると、ＳＹＳＴＥＭＡＴＩＣ_ＢＩＴ_ＬＯＣＡＴＩＯＮフィールドが‘１’である場合には、優先順位が高いビットがダイバーシティチャネルを介して送信されることを意味し、ＳＹＳＴＥＭＡＴＩＣ_ＢＩＴ_ＬＯＣＡＴＩＯＮフィールドが‘０’である場合には、サブ帯域を介して送信されることを意味する。複数のサブ帯域またはダイバーシティリソースが同時に割り当てられる場合には、上述したように、上記優先順位は、割当順序に従って決定される。
【００７８】
【表２】
2009506705.tif 000012
【００７９】
次いで、図８を参照して、上記リソースブロックを割り当てるためのリソースブロック分配器３０９の構成について説明する。
【００８０】
図８を参照すると、リソースブロック分配器３０９は、優先順位決定部８１０と、リソース割当部８２０とを含む。図８に示す送信部８３０は、リソースブロック分配器３０９の次に構成されるブロックであり、本発明によるインターリービング及び変調動作を遂行する。
【００８１】
優先順位決定部８１０は、割り当てられたリソースの個数及び割り当てられたリソースの優先順位に関する情報を受信し、これに基づいてどんなリソースに優先順位が高い信号を送信するかを決定する。すなわち、優先順位決定部８１０は、上記優先順位に従って、上記割り当てられたリソースの優先順位情報を決定する。この際、上記優先順位は、βｋの範囲に従って決定される。βｋの範囲は、上記の式（１）乃至式（４）のように示される。優先順位決定部８１０は、上記決定された優先順位情報をリソース割当部８２０に伝達する。リソース割当部８２０は、優先順位決定部８１０で決定された割り当てられたリソースの優先順位情報を用いて、送信信号を優先順位が高いリソースから割り当てる。この際、リソース割当部８２０は、リソースの信頼度及び送信信号の優先順位に従って信号を割り当てた後に、上記割当ての結果を送信部８３０に伝達する。送信部８３０は、受信された情報を無線周波数（ＲＦ）信号に変換し、上記ＲＦ信号を受信器に送信する。
【００８２】
図５は、本発明の望ましい実施形態による送信器３００でのデータ送信方法を示すフローチャートである。図５を参照すると、送信器３００は、ステップ５０１で、ユーザーデータを受信する。上記受信されたユーザーデータは、スケジューラ（Scheduler）（図示せず）によりスケジューリングが行われた後に、現在の送信期間の間にデータパケットが送信されるターゲットＭＳを選択する。その後、ターボコーダ３０５は、ステップ５０３で、上記スケジューリングされたユーザーデータに対するターボ符号化を遂行する。その後、ＨＡＲＱ機能部３０７は、ステップ５０５で、上記符号化されたデータからサブパケットを生成する。
【００８３】
この後、リソースブロック分配器３０９は、ステップ５０７で、該当するユーザーに割り当てられたリソースブロック情報をスケジューラーから受信する。上記リソースブロック情報は、各リソースブロックに関するチャネル品質情報を含み、上記リソースブロック情報を受信したリソースブロック分配器３０９は、ステップ５０９で、上記チャネル品質情報に基づいて、各リソースブロックに対する品質の優先順位を決定する。その後、リソースブロック分配器３０９は、ステップ５１１で、上記品質の優先順位に従って、上記サブパケットを上記リソースブロックに割り当てる。上記リソースブロックを分配するにあたり、リソースブロック分配器３０９は、システマテックビットが存在するか否かを判定し、システマテックビットが存在する場合には、チャネル品質がよいリソースブロックに割り当てる。上記チャネル品質に従ってリソースブロックを割り当てる方法は、図９を参照して説明される。
【００８４】
上記優先順位に従って、各リソースブロック別に上記サブパケットを割り当てた後に、送信器３００は、ステップ５１３で、上記各リソースブロック別にインターリービング及び変調過程を遂行し、ステップ５１５で、上記各リソースブロック別に割り当てられたデータを送信する。
【００８５】
図９は、送信器３００で各リソースブロック別にサブパケットを割り当てた後にデータを送信する方法を示すフローチャートである。図９を参照すると、送信器３００は、ステップ９０１で、各ＭＳからチャネル状態情報（すなわち、チャネル品質指示子（ＣＱＩ））を受信する。送信器３００は、ステップ９０３で、チャネル状態に従って各ＭＳにリソースを割り当てる。各ＭＳにリソースを割り当てた後に、送信器３００は、上記割り当てられたリソースの個数及び上記割り当てられたリソースの信頼度を出力する。ステップ９０５で、送信器３００は、上記割り当てられたリソースの個数及び上記割り当てられたリソースの信頼度に基づいて、上記割り当てられたリソースの個数が‘１’より大きいか否かを判定する。上記割り当てられたリソースの個数が‘１’より小さいか、または同一である場合には、送信器３００は、信頼度を決定する必要なく、ステップ９０９に進行する。しかしながら、上記割り当てられたリソースの個数が‘１’より大きい場合には、送信器３００は、ステップ９０７で、割り当てられた各リソースの信頼度を決定する。上記信頼度は、βｋの範囲に従って決定される。ステップ９０５及びステップ９０７の動作は、すべてのＭＳに対して送信器３００により繰返し行われる。
【００８６】
この後、ステップ９０９で、送信器３００は、信頼度が高いリソースに優先順位が高いビットを割り当てた後に、上記リソースブロックに関する割当情報である制御メッセージを構成する。この際、上記制御メッセージは、上記の＜表１＞または上記の＜表２＞に示すように構成される。すなわち、１種類のリソースが割り当てられる場合には、上記制御メッセージは、上記の＜表１＞に示すように構成され、上記ダイバーシティリソース及び上記サブ帯域リソースが同時に割り当てられる場合には、上記の＜表２＞に示すように構成される。
【００８７】
その後、送信器３００は、ステップ９１１で、上記構成された制御メッセージ及びデータを該当するＭＳに送信する。
【００８８】
図６は、本発明の実施形態によるＯＦＤＭＡシステムにおけるＭＳ６００を示すブロック図である。
【００８９】
図６を参照すると、ＭＳ６００は、リソースブロック別に受信される複数の復調器６０２とリソースブロックデインターリーバ６０３とを含む。復調器６０２の各々は、複数のリソースブロック６０１別に送信されるデータを受信し、上記受信されたデータを復調する。リソースブロックデインターリーバ６０３の各々は、復調器６０２の各々から提供された信号を受信し、特定の規則に従って、上記受信された信号をデインターリービングする。本発明の実施形態がリソースブロック別に上記サブパケットを送信するため、リソースブロックデインターリーバ６０３は、リソースブロック結合器６０４の前段に位置する。
【００９０】
リソースブロック結合器６０４は、リソースブロックデインターリーバ６０３別に受信されたデータを送信器３００から送信された制御メッセージに基づいて結合する。ＨＡＲＱ機能部６０５は、上記結合されたデータを入力にして物理レイヤーでのＨＡＲＱ機能を遂行する。ＨＡＲＱ機能部６０５からデータを完全に受信すると、ターボデコーダ６０６及びＣＲＣ検査器６０７は、上記受信されたデータをデコーディングし、上記デコーディングされたデータのＣＲＣ検査を遂行する。
【００９１】
また、復調器６０２は、送信器３００内の変調器３２０の位置に従って、リソースブロック結合器６０４とＨＡＲＱ機能部６０５との間に位置してもよい。
【００９２】
基本的に、ＭＳ６００は、チャネル品質情報（ＣＱＩ）を送信器３００に送信するが、これに対する構成は、個別に示されない。
【００９３】
次いで、図１０を参照して、リソースブロック結合器６０４について説明する。図１０を参照すると、リソースブロック結合器６０４は、リソース割当情報取得部１０１０と受信信号抽出部１０２０とを含む。受信部１０００は、リソースブロック結合器６０４の前段に概略的に示される。
【００９４】
受信部１０００は、送信器３００から送信されたＲＦ信号を基底帯域（baseband）信号に復調した後に、上記基底帯域信号をリソース割当情報取得部１０１０及び受信信号抽出部１０２０に送信する。リソース割当情報取得部１０１０は、受信部１０００から提供された信号からリソース割当てのための制御メッセージ部分を抽出して、優先順位が高い信号がどんなリソースを介して送信されるかを示す情報を取得する。上記取得された情報は、受信信号抽出部１０２０に提供される。受信信号抽出部１０２０は、リソース割当情報取得部１０１０から提供された割り当てられたリソースの優先順位情報を受信し、受信部１０００から上記基底帯域信号を受信し、上記割り当てられたリソースの優先順位情報を考慮して受信信号を抽出する。
【００９５】
図７は、本発明の実施形態によるＭＳ６００でデータを受信する方法を示すフローチャートである。
【００９６】
図７を参照すると、まず、ＭＳ６００は、ステップ７０１で、制御メッセージ及び自身に割り当てられたリソースブロック別データを送信器３００から受信する。その後、ＭＳ６００は、ステップ７０３で、上記リソースブロック別に受信された信号６０１の復調及びデインターリービングを遂行する。上記デインターリービングされたリソースブロック別データを受信するリソースブロック結合器６０４は、ステップ７０５で、上記制御メッセージ及び各リソースブロックデータを結合する。ＭＳ６００は、ステップ７０７で、上記結合されたデータにＨＡＲＱ機能を遂行してサブパケットを生成する。ＭＳ６００は、ステップ７０９で、上記生成されたサブパケットのデコーディング及びＣＲＣを遂行する。上記ＣＲＣが通過すると、ＭＳ６００は、ステップ７１１で、ユーザー情報６０８を出力する。
【００９７】
図１１を参照して、リソースブロック結合器６０４でリソースブロック別に割り当てられたデータを結合する方法について説明する。図１１を参照すると、リソースブロック結合器６０４は、ステップ１１０１で、送信器３００から送信されたリソース割当メッセージ、すなわち、制御メッセージを受信する。その後、リソースブロック結合器６０４は、ステップ１１０３で、データチャネルを受信する。この後、リソースブロック結合器６０４は、ステップ１１０５で、上記リソース割当メッセージに基づいて、信頼度が高いリソースの順に符号化されたビットを順次に抽出し、上記抽出された符号化されたビットをバッファに格納する。この後、受信器６００は、ステップ１１０５で、リソースブロック結合器６０４から出力されたデータをバッファに記憶し、ステップ１１０６で、上記データをデコーディングする。
【００９８】
本発明は、コンピュータ可読記録媒体上でコンピュータ可読コードとして実現されることもできる。コンピュータ可読記録媒体は、この後にコンピュータシステムにより読み出されることができるデータを記憶することができる任意のデータ記憶装置である。コンピュータ可読記録媒体の例としては、読出し専用メモリ(ＲＯＭ)、ランダムアクセスメモリ(ＲＡＭ)、ＣＤ−ＲＯＭ、磁気テープ、フロッピー（登録商標）ディスク、光学データ記憶装置、及び（有線又は無線送信経路上のインターネットを介したデータ送信のような）搬送波が含まれるが、これらに限定されるものではない。また、上記コンピュータ可読記録媒体は、コンピュータ可読コードが分配される方式で記憶されて実行されることができるように、ネットワーク結合型コンピュータシステムを介して分配されることができる。さらに、本発明を遂行するための関数プログラム、コード及びコードセグメントは、本発明が属する技術分野で熟練したプログラマーにより本発明の範囲内で容易に解析されることができるであろう。
【００９９】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【図面の簡単な説明】
【０１００】
【図１】ＯＦＤＭＡシステムにおける複数のユーザーにデータを送信する方法を示すグラフである。
【図２】ＯＦＤＭＡシステムにおけるユーザーデータを送信する送信器を示す図である。
【図３】本発明の実施形態によるＯＦＤＭＡシステムにおける基地局を示すブロック図である。
【図４】本発明の実施形態によるサブパケットを割り当てる方法を示す図である。
【図５】本発明の実施形態による基地局におけるデータ送信方法を示すフローチャートである。
【図６】本発明の実施形態によるＯＦＤＭＡシステムにおける端末を示すブロック図である。
【図７】本発明の実施形態による端末でのデータを受信する方法を示すフローチャートである。
【図８】図３のリソースブロック分配器の構成を示すブロック図である。
【図９】本発明の実施形態によるリソースブロック分配器がデータを割り当てる方法を示すフローチャートである。
【図１０】本発明の実施形態によるリソースブロック結合器の構成を示すブロック図である。
【図１１】本発明の実施形態によるリソースブロック結合器がデータを結合する方法を示すフローチャートである。
【符号の説明】
【０１０１】
１０１    再割当期間
１０２    １番目の帯域
１０３    （Ｎ−１）番目の帯域
１０４    Ｎ番目の帯域
１０５、１０６、１０７    リソースブロック
２０１    サイクリックリダンダンシーチェック（ＣＲＣ）付加器
２０３    ターボコーダ
２０５    ハイブリッド自動再送要求（ＨＡＲＱ）機能部
２０７    サブパケットインターリーバ
２０９    リソースブロック分配器
２１０、２１０−１〜２１０−Ｎ    変調器
２２０、２２０−１〜２２０−Ｎ    リソースブロック
３００    基地局（ＢＳ）
３０１    ユーザーデータ
３０３    サイクリックリダンダンシーチェック（ＣＲＣ）付加器
３０５    ターボコーダ
３０７    ハイブリッド自動再送要求（ＨＡＲＱ）機能部
３０９    リソースブロック分配器
３１０    リソースブロック別インターリーバ
３２０    変調器
３３０    リソースブロック
４０１    システマテックビット
４０２    パリティビット
４０３    インターリービング過程
４０４    循環バッファ
４０５    入力開始点
４０６    サブパケット内への送信データ
６００    ＭＳ
６０１    リソースブロック
６０２    復調器
６０３    リソースブロックデインターリーバ
６０４    リソースブロック結合器
６０５    ＨＡＲＱ機能部
６０６    ターボデコーダ
６０７    ＣＲＣ検査器
８１０    優先順位決定部
８２０    リソース割当部
８３０    送信部
１０００    受信部
１０１０    リソース割当情報取得部
１０２０    受信信号抽出部
【図１】
2009506705.tif 000017
【図２】
2009506705.tif 000018
【図３】
2009506705.tif 000019
【図４】
2009506705.tif 000020
【図５】
2009506705.tif 000021
【図６】
2009506705.tif 000022
【図７】
2009506705.tif 000023
【図８】
2009506705.tif 000024
【図９】
2009506705.tif 000025
【図１０】
2009506705.tif 000026
【図１１】
2009506705.tif 000027
【国際調査報告】
2009506705.tif 000028
2009506705.tif 000029